(57)【要約】【課題】不正な設定変更を監視及び検出することができる遊技機の設定不正監視装置を提供する。【解決手段】レバースイッチセンサ４１がレバースイッチＬＳのＯＮを検出した場合、第一現在設定値をコイン払出率の最新の確定値である第一新設定値として記憶する不揮発性メモリである第一記憶部５１４を有するメインボード５１と、メインボード５１と双方向に通信可能に接続されている場合、設定ボタン押下センサ２によるコイン払出率の選択情報を第二現在設定値として記憶し、レバースイッチセンサ４１がレバースイッチＬＳのＯＮを検出した場合、第二現在設定値をコイン払出率の最新の確定値である第二新設定値として記憶する第二記憶部３１４と、メインボード５１と双方向に通信可能に接続された際に、第一現在設定値と第二現在設定値とが一致するか否かを判別する第一判別部３１Ｂとを有する情報処理端末３１とを備える。【選択図】図１
2015226765.tif 000002
【特許請求の範囲】
【請求項１】
設定ボタンによって選択されて、レバースイッチによって設定され、設定表示部に表示される、コインの出やすさを司るコイン払出率が、改ざんされないよう監視する遊技機の設定不正監視装置であって、
前記遊技機に設けられ、前記設定ボタンによって前記コイン払出率が選択されたことを検出するための設定ボタン押下センサと、
前記遊技機に設けられ、前記レバースイッチによって前記コイン払出率の設定のＯＮ／ＯＦＦを検出するための前記レバースイッチセンサと、
設定ボタン押下センサによる前記コイン払出率の選択情報を第一現在設定値として記憶し、前記レバースイッチセンサが前記レバースイッチのＯＮを検出した場合、前記第一現在設定値をコイン払出率の最新の確定値である第一新設定値として記憶する不揮発性メモリである第一記憶部を有するメインボードと、
前記メインボードと双方向に通信可能に接続されている場合、設定ボタン押下センサによる前記コイン払出率の選択情報を第二現在設定値として記憶し、前記レバースイッチセンサが前記レバースイッチのＯＮを検出した場合、前記第二現在設定値をコイン払出率の最新の確定値である第二新設定値として記憶する第二記憶部と、前記メインボードと双方向に通信可能に接続された際に、前記第一現在設定値と前記第二現在設定値とが一致するか否かを判別する第一判別部とを有する情報処理端末とを備える遊技機の設定不正監視装置。
【請求項２】
請求項１に記載の遊技機の設定不正監視装置であって、
前記メインボードは、前記レバースイッチセンサが前記レバースイッチのＯＮを検出した場合、前記第一記憶部が、コイン払出率の前記第一新設定値のうち二番目に新しい確定値を第一前回設定値として記憶し、
前記情報処理端末は、前記メインボードと双方向に通信可能に接続されている場合、前記第二記憶部が、前記レバースイッチセンサが前記レバースイッチのＯＮを検出した場合、コイン払出率の前記第二新設定値のうち二番目に新しい確定値を第二前回設定値として記憶し、前記第一判別部が、前記メインボードと双方向に通信可能に接続された際に、前記第一前回設定値と前記第二前回設定値とが一致するか否かを判別する遊技機の設定不正監視装置。
【請求項３】
請求項１又は請求項２に記載の遊技機の設定不正監視装置であって、
前記情報処理端末は、前記遊技機と関連づけて、管理者が予定している設定値である予定設定値を記憶し、前記レバースイッチセンサが前記レバースイッチのＯＮを検出した場合、前記第一現在設定値と前記予定設定値とが一致するか否かを判別する第二判別部を有する遊技機の設定不正監視装置。
【請求項４】
請求項３に記載の遊技機の設定不正監視装置であって、さらに、
前記メインボードに通信可能に接続された外部表示器を備え、
前記メインボードは、前記予定設定値と、前記第一現在設定値及び／又は前記第二現在設定値とを前記外部表示器に表示するよう制御する遊技機の設定不正監視装置。
【請求項５】
請求項３又は請求項４に記載の遊技機の設定不正監視装置であって、さらに、
前記設定表示部に表示された前記コイン払出率の設定値を撮像するカメラと、
前記設定ボタン押下センサを介して前記コイン払出率の設定値を認識する第一モードと、前記設定表示部の表示から前記カメラを介して前記コイン払出率の設定値を認識する第二モードとを切り替えるためのモード切替部とを備える遊技機の設定不正監視装置。
【請求項６】
請求項５に記載の遊技機の設定不正監視装置であって、
前記情報処理端末は、予め、前記遊技機の機種毎に前記第一モード又は前記第二モードの何れかを選択し、設定可能としてなる遊技機の設定不正監視装置。
【請求項７】
請求項５又は請求項６に記載の遊技機の設定不正監視装置であって、
前記情報処理端末は、前記予定設定値と、前記カメラによって撮像された画像データを受信し、前記画像データとを併せて表示するよう制御し、前記レバースイッチセンサが前記レバースイッチのＯＮを検出した場合、前記画像データを光学文字認識して認識設定値に数値変換する数値変換部と、前記認識設定値と前記予定設定値とが一致するか否かを判別する前記第三判別部とを有し、前記第二記憶部が、前記認識設定値を前記第二現在設定値及び前記第二新設定値として記憶するよう制御する遊技機の設定不正監視装置。
【請求項８】
請求項７に記載の遊技機の設定不正監視装置であって、
前記情報処理端末は、前記数値変換部が、前記画像データの光学文字認識が正常になされたか否かを前記認識設定値から解析する認識解析部を有し、該認識解析部が、光学文字認識が正常に行われていないと解析した場合、前記モード切替部が前記第一モードに切り替え、前記第二記憶部が、前記第一現在設定値を前記第二現在設定値及び前記第二新設定値として記憶するよう制御する遊技機の設定不正監視装置。
【請求項９】
請求項５〜８の何れか一に記載の遊技機の設定不正監視装置であって、
前記メインボードは、前記情報処理端末が接続されると、前記メインボードが、コイン払出率の設定値変更が不可能なセキュリティモードから、コイン払出率を設定する設定モードに切り替わり、前記情報処理端末が前記メインボードとの接続が解除される、又は、次の遊技機に移行するための機台移行ボタンが押下されると前記セキュリティモードに戻るよう制御する遊技機の設定不正監視装置。
【請求項１０】
請求項５〜９の何れか一に記載の遊技機の設定不正監視装置であって、
前記情報処理端末は、前記メインボードに接続されると、該情報処理端末の表示部に表示されるユーザインターフェース上に設定画面を表示し、
前記設定画面は、前記遊技機の機台番号を表示する機台番号表示欄と、前記第二新設定値を表示する現在値表示欄と、前記セキュリティモードに切り替えて次の遊技機に移行するための前記機台移行ボタンと、前記設定画面上に表示されるメッセージを確認後にクリアし、前記メッセージを前記情報処理端末の第二記憶部に記憶するための確認ボタンとを含む遊技機の設定不正監視装置。
【請求項１１】
請求項１０に記載の遊技機の設定不正監視装置であって、
前記設定画面は、前記第二前回設定値を表示する前回値表示欄と、前記予定設定値を表示する予定値表示欄とを含む遊技機の設定不正監視装置。
【請求項１２】
請求項１０又は請求項１１に記載の遊技機の設定不正監視装置であって、
前記設定画面は、前記カメラによって撮像された画像データを表示するカメラ画像表示欄と、前記第一モードが選択されている場合に前記第一現在設定値を表示する推定値表示欄と、前記第二モードが選択されている場合に前記認識設定値を表示する認識値表示欄と、前記モード切替部によって、前記第一モード又は前記第二モードの何れかを選択し、設定するためのモード切替ボタンとを含む遊技機の設定不正監視装置。
【請求項１３】
請求項１０〜１２の何れか一に記載の遊技機の設定不正監視装置であって、
前記情報処理端末は、前記第一判別部が、前記第一現在設定値と前記第二現在設定値とが、又は／及び、前記第一前回設定値と前記第二前回設定値とが一致しないと判別した場合、第一警報情報を前記設定画面上に表示するよう制御し、前記第二判別部が、前記第一現在設定値と前記予定設定値とが一致しないと判別した場合、第二警報情報を前記設定画面上に表示するよう制御し、前記第三判別部が、前記認識設定値と前記予定設定値とが一致しないと判別した場合、第三警報情報を前記設定画面上に表示するよう制御する遊技機の設定不正監視装置。
【請求項１４】
請求項１０〜１３の何れか一に記載の遊技機の設定不正監視装置であって、
前記情報処理端末は、前記認識解析部が、光学文字認識が正常に行われていないと解析した場合、第四警報情報を前記設定画面上に表示するよう制御する遊技機の設定不正監視装置。
【請求項１５】
請求項７〜１４の何れか一に記載の遊技機の設定不正監視装置であって、さらに、
前記メインボードに通信可能に接続された警報器を備え、
前記情報処理端末は、前記第一判別部が、前記第一現在設定値と前記第二現在設定値とが、又は／及び、前記第一前回設定値と前記第二前回設定値とが一致しないと判別した場合、第一警報信号を前記メインボードに送信し、前記第二判別部が、前記第一現在設定値と前記予定設定値とが一致しないと判別した場合、第二警報信号を前記メインボードに送信し、前記第三判別部が、前記認識設定値と前記予定設定値とが一致しないと判別した場合、第三警報信号を前記メインボードに送信し、
前記メインボードは、前記第一警報信号を受信すると、該第一警報信号を前記警報器へ送信し、前記第二警報信号を受信すると、該第二警報信号を前記警報器へ送信し、前記第三警報信号を受信すると、該第三警報信号を前記警報器へ送信する遊技機の設定不正監視装置。
【請求項１６】
請求項１〜１５の何れか一に記載の遊技機の設定不正監視装置であって、
前記情報処理端末は、携帯できる携帯情報処理端末である遊技機の設定不正監視装置。
【請求項１７】
遊技結果に応じてコインを払い出す遊技機に設けられ、前記コイン払出率の設定値を表示する設定表示部を撮像する撮像手段と、
前記撮像手段によって撮像された画像データを受信し、前記画像データを光学文字認識して得られる文字データを活字として表示する機能を有する携帯可能な情報処理手段とを備え、
前記情報処理手段は、前回得られた設定値を前記遊技機と関連づけて記憶しており、前記遊技機に対応する、記憶された前回の設定値である前回設定値と前記撮像手段で撮像された現在の設定値である現在設定値とを併せて表示することを特徴とする遊技機の設定不正監視装置。
【請求項１８】
請求項１７に記載の遊技機の設定不正監視装置であって、さらに、
前記遊技機において新設定値を決定する操作がされる際に発信されるパルス信号を検出し、増幅して、トリガ信号として前記情報処理手段に送信するトリガ信号送信手段を備え、
前記情報処理手段は、前記トリガ信号送信手段によって送信された前記トリガ信号を受信すると、前記前回設定値及び前記現在設定値と併せて、前記現在設定値を前記新設定値として表示するとともに、前記前回設定値として次回に表示されるものとして前記遊技機と関連づけて前記新設定値を記憶する遊技機の設定不正監視装置。
【請求項１９】
請求項１８に記載の遊技機の設定不正監視装置であって、
前記トリガ信号送信手段は、メインボードを介して、シリアル通信によって前記情報処理手段に前記トリガ信号を送信する遊技機の設定不正監視装置。
【請求項２０】
請求項１９に記載の遊技機の設定不正監視装置であって、
前記情報処理手段は、前記現在設定値を現在設定値信号として、シリアル通信によって前記メインボードに送信し、前記トリガ信号送信手段によって送信された前記トリガ信号を受信すると、前記新設定値を新設定値信号として、シリアル通信によって前記メインボードに送信し、
前記メインボードは、現在設定値信号及び／又は新設定値信号を受信すると、前記現在設定値及び／又は前記新設定値を外部表示器に表示する遊技機の設定不正監視装置。
【請求項２１】
請求項１９又は請求項２０に記載の遊技機の設定不正監視装置であって、
前記情報処理手段は、前記前回設定値と前記現在設定値とが異なる場合、又は、前記前回設定値と前記新設定値とが異なる場合、警報信号をシリアル通信によって前記メインボードに送信し、
前記メインボードは、前記警報信号を受信すると、該警報信号を警報器へ送信する遊技機の設定不正監視装置。
【請求項２２】
請求項１７〜２１の何れか一に記載の遊技機の設定不正監視装置であって、
前記情報処理手段は、前記前回設定値と前記現在設定値とが異なる場合、又は、前記前回設定値と前記新設定値とが異なる場合、警報情報を表示することを特徴とする請求項１１乃至請求項１５のうち何れか１つに記載の遊技機の設定不正監視装置。
【請求項２３】
請求項１８〜２２の何れか一に記載の遊技機の設定不正監視装置であって、
前記情報処理手段は、複数台ある前記遊技機の前回設定値と前記新設定値とを遊技機毎に関連づけて一覧表示できる機能を備える遊技機の設定不正監視装置。
【請求項２４】
請求項２２又は請求項２３に記載の遊技機の設定不正監視装置であって、
前記警報情報は、前記遊技機毎に、前記前回設定値と前記現在設定値とが異なる、又は、前記前回設定値と前記新設定値とが異なることを示す表示である遊技機の設定不正監視装置。
【請求項２５】
請求項１７に記載の遊技機の設定不正監視装置であって、
前記情報処理手段は、前記撮像手段によって撮像された画像データを日付時刻と関連づけて保存する記載の遊技機の設定不正監視装置。
【請求項２６】
請求項１７に記載の遊技機の設定不正監視装置であって、
前記撮像手段は、前記遊技機毎に各々固定される遊技機の設定不正監視装置。
【請求項２７】
請求項１７〜２６の何れか一に記載の遊技機の設定不正監視装置であって、
前記情報処理手段は複数台あり、その各々が、無線又は有線によって双方向に通信可能に接続されており、前記前回設定値及び前記新設定値の記憶データを共有する遊技機の設定不正監視装置。
【請求項２８】
請求項１７〜２７の何れか一に記載の遊技機の設定不正監視装置であって、
前記情報処理手段は、サーバ装置と、無線又は有線によって双方向に通信可能に接続されており、前記サーバ装置で一元管理されている前記前回設定値及び前記新設定値の記憶データを共有する遊技機の設定不正監視装置。
【請求項２９】
請求項１８に記載の遊技機の設定不正監視装置であって、
前記情報処理手段は、前記遊技機と関連づけて、管理者が予定している設定値である予定設定値を記憶しており、前記新設定値と前記予定設定値とが異なる場合、警報情報を表示する遊技機の設定不正監視装置。
【請求項３０】
請求項１９又は請求項２０に記載の遊技機の設定不正監視装置であって、
前記情報処理手段は、前記遊技機と関連づけて、管理者が予定している設定値である予定設定値を記憶しており、前記新設定値と前記予定設定値とが異なる場合、警報信号をシリアル通信によって前記メインボードに送信し、
前記メインボードは、前記警報信号を受信すると、該警報信号を警報器へ送信する遊技機の設定不正監視装置。
【発明の詳細な説明】
【技術分野】
【０００１】
本発明は、遊技機の払出率の設定値を不正に変更する不正行為を簡便に監視及び検出できるようにした遊技機の設定不正監視装置に関する。
【背景技術】
【０００２】
遊興施設（以下、店舗という。）に備えられた遊技機、例えばスロットマシンは、同一の文字や絵柄が並ぶと、その遊技結果に応じてコインを払い出す仕組みになっており、そのコインを払い出す払出率は、管理者が設定できるようになっている。この設定は、通常、設定キーを所有する管理者等の特定の人物しかすることはできないため、店舗内の従業員や遊技者が設定変更を行うことはできない。
【０００３】
しかしながら、不正に設定変更を行う遊技者がいる。この不正な設定変更を防止する方法として、特許文献１に開示された技術が知られている。この特許文献１には、図１９に示すように、電源装置の２本一対の引込み線１００３ａ，１００３ｂの一方側の途中にクランプ式変流器１００４を設け、このクランプ式変流器１００４により電源オフを検出したときに、制御器１００５により警報用のフラッシュランプ１００６を点滅させて不正を警報する不正行為報知装置１００１が開示されている。
【０００４】
すなわち、設定変更するためには、（１）電源スイッチ・オフ、（２）設定キー操作（設定許可モード）、（３）電源スイッチ・オン、（４）設定値変更操作、（５）設定値変更決定の番号順に、一連の操作が必要であるところ、この不正行為報知装置１００１は、最初の操作の（１）電源スイッチ・オフを検出することによって、不正行為があったかどうかを検出する技術である。
【先行技術文献】
【特許文献】
【０００５】
【特許文献１】特開２００３−１５４０５２号公報
【発明の概要】
【発明が解決しようとする課題】
【０００６】
しかしながら、従来の不正行為報知装置１００１では、不正行為があったかどうかを検出することはできるものの、スロットゲーム機１００２の電源スイッチをオフにする行為自体は、不正行為に限らず通常行われ、何らかの電源トラブルによりスロットゲーム機１００２の電源が停止する場合もあるため、不正行為だけを正しく検出できないという問題があった。
【０００７】
また、従来の不正行為報知装置１００１では、払出率の設定変更値を表示したり、不正行為自体やその設定変更の履歴を店舗内外でリアルタイムに一元的に管理することはできなかった。この課題を解消するシステムの構築を想定した場合、一般には、店舗毎に、遊技機各々を大がかりに改変する必要があり、コスト高となる虞があった。
【０００８】
さらに、不正の態様として、遊技者が不正に設定変更を行うという前述の態様の他に、設定変更を行う従業員が、故意に設定値を変更して、それを知り合いに伝えることで不正な利益を得るという態様もあるが、この従業員が行う不正を有効に防止する技術は開発されていないのが現状である。
【０００９】
そこで、本発明が解決しようとする課題は、遊技機自体は大がかりな改変をせずに、簡便に、且つ、低廉に、遊技機の払出率の設定値を不正に変更する不正行為を監視及び検出することができる遊技機の設定不正監視装置を提供することである。
【課題を解決するための手段及び発明の効果】
【００１０】
本発明の第１の側面に係る遊技機の設定不正監視装置によれば、設定ボタンによって選択されて、レバースイッチによって設定され、設定表示部に表示される、コインの出やすさを司るコイン払出率が、改ざんされないよう監視する遊技機の設定不正監視装置であって、前記遊技機に設けられ、前記設定ボタンによって前記コイン払出率が選択されたことを検出するための設定ボタン押下センサと、前記遊技機に設けられ、前記レバースイッチによって前記コイン払出率の設定のＯＮ／ＯＦＦを検出するための前記レバースイッチセンサと、設定ボタン押下センサによる前記コイン払出率の選択情報を第一現在設定値として記憶し、前記レバースイッチセンサが前記レバースイッチのＯＮを検出した場合、前記第一現在設定値をコイン払出率の最新の確定値である第一新設定値として記憶する不揮発性メモリである第一記憶部を有するメインボードと、前記メインボードと双方向に通信可能に接続されている場合、設定ボタン押下センサによる前記コイン払出率の選択情報を第二現在設定値として記憶し、前記レバースイッチセンサが前記レバースイッチのＯＮを検出した場合、前記第二現在設定値をコイン払出率の最新の確定値である第二新設定値として記憶する第二記憶部と、前記メインボードと双方向に通信可能に接続された際に、前記第一現在設定値と前記第二現在設定値とが一致するか否かを判別する第一判別部とを有する情報処理端末とを備えることができる。
【００１１】
前記構成により、メインボードに備えられた第一記憶部は、設定ボタン押下センサによるコイン払出率の選択情報を第一現在設定値として記憶するため、カメラ等の外部機器を用いずとも、コイン払出率の第一現在設定値を得ることができる。
【００１２】
また、前記構成により、第一記憶部は、メインボードに備えられ、常に、最新のコイン払出率の確定値を記憶しているのに対して、第二記憶部は、メインボードと情報処理端末とが双方向に通信可能に接続された際にのみ、最新のコイン払出率の確定値を記憶するため、設定変更ミスや改ざんが行われていない場合には、第一記憶部に記憶された第一現在設定値と、第二記憶部に記憶された、直近の、第二現在設定値とは一致するが、設定変更ミスや改ざんが行われた場合には、第一現在設定値と、第二現在設定値とが異なり、第一現在設定値と第二現在設定値とが一致しているか否かという判別を第一判別部が行うため、従業員を含む管理者等は、第一現在設定値と第二現在設定値とが一致しているか否かという判断を行うことなく、遊技機毎の、コイン払出率の設定変更ミスや改ざんを容易に判別できる。
【００１３】
さらに、前記構成により、第一記憶部が、不揮発性メモリであるため、店舗閉店時等において、メインボードの電源が落とされても、一度記憶したコイン払出率の設定値が失われることがない。
【００１４】
また、本発明の第２の側面に係る遊技機の設定不正監視装置によれば、前記メインボードは、前記レバースイッチセンサが前記レバースイッチのＯＮを検出した場合、前記第一記憶部が、コイン払出率の前記第一新設定値のうち二番目に新しい確定値を第一前回設定値として記憶し、前記情報処理端末は、前記メインボードと双方向に通信可能に接続されている場合、前記第二記憶部が、前記レバースイッチセンサが前記レバースイッチのＯＮを検出した場合、コイン払出率の前記第二新設定値のうち二番目に新しい確定値を第二前回設定値として記憶し、前記第一判別部が、前記メインボードと双方向に通信可能に接続された際に、前記第一前回設定値と前記第二前回設定値とが一致するか否かを判別することができる。
【００１５】
前記構成により、第一記憶部は、常に、最新のコイン払出率の確定値である第一新設定値のうち二番目に新しい第一新設定値を第一前回設定値として記憶するのに対して、第二記憶部は、メインボードと情報処理端末とが双方向に通信可能に接続された際にのみ、最新のコイン払出率の確定値である第二新設定値のうち二番目に新しい新設定値を第二前回設定値として記憶するため、前回設定変更ミスや改ざんが行われていない場合には、第一記憶部に記憶された第一前回設定値と、第二記憶部に記憶された、直近の、第二前回設定値とは一致するが、設定変更ミスや改ざんが行われた場合には、第一前回設定値と、第二前回設定値とが異なり、第一前回設定値と、第二前回設定値とが一致しているか否かという判別を第一判別部が行うため、従業員を含む管理者等は、第一前回設定値と第二前回設定値とが一致しているか否かという判断を行うことなく、遊技機毎の、過去にコイン払出率の設定変更ミスや改ざんが行われたか否かについても分析することができる。よって、コイン払出率の設定変更ミスや不正な設定変更を高度に監視することができる。
【００１６】
さらにまた、本発明の第３の側面に係る遊技機の設定不正監視装置によれば、前記情報処理端末は、前記遊技機と関連づけて、管理者が予定している設定値である予定設定値を記憶し、前記レバースイッチセンサが前記レバースイッチのＯＮを検出した場合、前記第一現在設定値と前記予定設定値とが一致するか否かを判別する第二判別部を有するよう構成できる。
【００１７】
前記構成により、情報処理端末の第二記憶部は、管理者が予定している設定値を、予め、予定設定値として記憶しており、第二判別部は、設定ボタン押下センサによって設定された第一現在設定値と予定設定値とを比較することで、予定している設定値通りに変更したかどうか判別を行うため、従業員を含む管理者等は、第一現在設定値と予定設定値とが一致しているか否かという判断を行うことなく、遊技機毎の、コイン払出率の設定変更ミスや改ざんを容易に判別できる。
【００１８】
さらにまた、本発明の第４の側面に係る遊技機の設定不正監視装置によれば、前記メインボードに通信可能に接続された外部表示器を備え、前記メインボードは、前記予定設定値と、前記第一現在設定値及び／又は前記第二現在設定値とを前記外部表示器に表示するよう制御することができる。
【００１９】
前記構成により、別途パーソナルコンピュータや携帯情報処理端末等の記憶部を有する外部機器を用いずとも、コイン払出率の設定変更後、直ぐに、予定設定値と、第一現在設定値及び／又は前記第二現在設定値とを外部表示器で比較でき、設定変更ミスや不正の有無を容易、且つ、即座に視認できる。
【００２０】
さらにまた、本発明の第５の側面に係る遊技機の設定不正監視装置によれば、前記設定表示部に表示された前記コイン払出率の設定値を撮像するカメラと、前記設定ボタン押下センサを介して前記コイン払出率の設定値を認識する第一モードと、前記設定表示部の表示から前記カメラを介して前記コイン払出率の設定値を認識する第二モードとを切り替えるためのモード切替部とを備えるよう構成できる。
【００２１】
前記構成により、第一モードと第二モードとを切り替えるためのモード切替部を備えたので、例えば、作業時間に余裕がない場合には、精度よりも効率を優先した第一モードを選択し、作業時間に余裕がある場合には、効率よりも精度を優先した第二モードを選択するというように、従業員を含む管理者等は状況に応じてモードを使い分けることができる。
【００２２】
さらにまた、本発明の第６の側面に係る遊技機の設定不正監視装置によれば、前記情報処理端末は、予め、前記遊技機の機種毎に前記第一モード又は前記第二モードの何れかを選択し、設定可能とするよう構成できる。前記構成により、従業員を含む管理者等は、予め、遊技機の機種毎に第一モード又は第二モードの何れかを選択し、設定することができるので、例えば、設定ボタン押下センサによる検出が困難な機種では第二モードを予め設定しておくというように、機種毎の適性に応じてモードを予め設定しておくことができるので、設定作業の度に改めてモードを設定する必要がない。
【００２３】
さらにまた、本発明の第７の側面に係る遊技機の設定不正監視装置によれば、前記情報処理端末は、前記予定設定値と、前記カメラによって撮像された画像データを受信し、前記画像データとを併せて表示するよう制御し、前記レバースイッチセンサが前記レバースイッチのＯＮを検出した場合、前記画像データを光学文字認識して認識設定値に数値変換する数値変換部と、前記認識設定値と前記予定設定値とが一致するか否かを判別する前記第三判別部とを有し、前記第二記憶部が、前記認識設定値を前記第二現在設定値及び前記第二新設定値として記憶するよう制御することができる。
【００２４】
前記構成により、カメラ優先の第二モードにあるとき、情報処理端末上で、予定設定値と画像データとが併せて表示されるので、従業員を含む管理者等は、遊技機のコイン払出率の設定値を予定設定値と比較しながら、設定することができる。
【００２５】
また、前記構成により、第三判別部が、予定設定値と、画像データを光学文字認識した認識設定値とを比較することで、予定している設定値通りに変更したかどうか判別を行うため、従業員を含む管理者等は、予定設定値と認識設定値とが一致しているか否かという判断を行うことなく、より正確に改ざんや設定変更ミスを容易に判別できる。
【００２６】
また、前記構成により、カメラ優先の第二モードにあり、レバースイッチセンサがレバースイッチのＯＮを検出した場合に、第二記憶部が、カメラ及び数値変換部を介して得たコイン払出率の設定値の認識設定値を第二現在設定値及び第二新設定値として記憶し、情報処理端末が、次回のコイン払出率の設定作業時には、第二現在設定値及び第二前回設定値として表示するので、メインボードに記憶されている第一現在設定値及び第一前回設定値と比較することで設定変更ミスや改ざんが行われたか否かを判別することができる。
【００２７】
さらにまた、本発明の第８の側面に係る遊技機の設定不正監視装置によれば、前記情報処理端末は、前記数値変換部が、前記画像データの光学文字認識が正常になされたか否かを前記認識設定値から解析する認識解析部を有し、該認識解析部が、光学文字認識が正常に行われていないと解析した場合、前記モード切替部が前記第一モードに切り替え、前記第二記憶部が、前記第一現在設定値を前記第二現在設定値及び前記第二新設定値として記憶するよう制御することができる。前記構成により、認識解析部が、光学文字認識が正常に行われていないと解析した場合、従業員を含む管理者等が指示せずとも、即座に自動でモードを切り替えるため、従業員を含む管理者等の負担が減り、作業の効率化を図ることができる。
【００２８】
さらにまた、本発明の第９の側面に係る遊技機の設定不正監視装置によれば、前記メインボードは、前記情報処理端末が接続されると、前記メインボードが、コイン払出率の設定値変更が不可能なセキュリティモードから、コイン払出率を設定する設定モードに切り替わり、前記情報処理端末が前記メインボードとの接続が解除される、又は、次の遊技機に移行するための機台移行ボタンが押下されると前記セキュリティモードに戻るよう制御することができる。前記構成により、情報処理端末が遊技機に接続されている場合、及び、遊技機において設定モードが選択されている場合を除いて、メインボードは、常に、セキュリティモードが選択されるので、コインの不正投入等の不正を監視することができる。
【００２９】
また、前記構成により、情報処理端末が遊技機に接続されると、メインボードが、セキュリティモードから設定モードに自動で切り替わるため、コイン払出率の設定作業の度に、従業員を含む管理者等は、手動で設定モードに切り替える必要がない。
【００３０】
さらにまた、本発明の第１０の側面に係る遊技機の設定不正監視装置によれば、前記情報処理端末は、前記メインボードに接続されると、該情報処理端末の表示部に表示されるユーザインターフェース上に設定画面を表示し、前記設定画面は、前記遊技機の機台番号を表示する機台番号表示欄と、前記第二新設定値を表示する現在値表示欄と、前記セキュリティモードに切り替えて次の遊技機に移行するための前記機台移行ボタンと、メッセージを表示するメッセージ表示欄と、該メッセージ表示欄に表示されるメッセージを確認後にクリアし、前記メッセージを前記情報処理端末の第二記憶部に記憶するための確認ボタンとを含む構成とすることができる。前記構成により、確認ボタンを押すと、例えば、「現在設定値が一致しません」といったメッセージを確認した後、メッセージをクリアするだけでなく、メッセージを情報処理端末に記憶するので、管理者は、遊技機毎のエラー情報等を管理用のパソコン等でも確認することができる。したがって、管理者は、コイン払出率の設定作業時のメッセージ履歴から、改ざんの発生や、改ざんがどの遊技機で、誰が作業中に、いつ行われたか等、高度に分析することができる。
【００３１】
さらにまた、本発明の第１１の側面に係る遊技機の設定不正監視装置によれば、前記設定画面は、前記第二前回設定値を表示する前回値表示欄と、前記予定設定値を表示する予定値表示欄とを含むよう構成できる。
【００３２】
さらにまた、本発明の第１２の側面に係る遊技機の設定不正監視装置によれば、前記設定画面は、前記カメラによって撮像された画像データを表示するカメラ画像表示欄と、前記第一モードが選択されている場合に前記第一現在設定値を表示する推定値表示欄と、前記第二モードが選択されている場合に前記認識設定値を表示する認識値表示欄と、前記モード切替部によって、前記第一モード又は前記第二モードの何れかを選択し、設定するためのモード切替ボタンとを含むよう構成できる。前記構成により、従業員を含む管理者等は、カメラ使用時には、切替ボタンによる一の操作で、第一モード及び第二モードのうち、所望するモードに切り替えることができる。
【００３３】
さらにまた、本発明の第１３の側面に係る遊技機の設定不正監視装置によれば、前記情報処理端末は、前記第一判別部が、前記第一現在設定値と前記第二現在設定値とが、又は／及び、前記第一前回設定値と前記第二前回設定値とが一致しないと判別した場合、第一警報情報を前記設定画面上に表示するよう制御し、前記第二判別部が、前記第一現在設定値と前記予定設定値とが一致しないと判別した場合、第二警報情報を前記設定画面上に表示するよう制御し、前記第三判別部が、前記認識設定値と前記予定設定値とが一致しないと判別した場合、第三警報情報を前記設定画面上に表示するよう制御することができる。
【００３４】
前記構成により、設定変更ミスや改ざんが検出されると、第一判別部は、第一警報情報として、例えば、「現在設定値が一致しません」といったメッセージをメッセージ表示欄に表示し、また、現在値表示欄又は／及び前回値表示欄の背景色を赤色で表示し、第二判別部は、第二警報情報として、例えば、「予定値と設定値が一致しません」といったメッセージをメッセージ表示欄に表示し、また、推定値表示欄の背景色を赤色で表示し、第三判別部は、第三警報情報として、例えば、「予定値と設定値が一致しません」といったメッセージをメッセージ表示欄に表示し、また、認識値表示欄の背景色を赤色で表示することにより、従業員を含む管理者等は、遊技機毎に、コイン払出率の設定変更ミスや改ざんを容易に判別することができる。
【００３５】
さらにまた、本発明の第１４の側面に係る遊技機の設定不正監視装置によれば、前記情報処理端末は、前記認識解析部が、光学文字認識が正常に行われていないと解析した場合、第四警報情報を前記設定画面上に表示するよう制御することができる。前記構成により、認識解析部が、光学文字認識に失敗すると、第四警報情報として、例えば、「解析失敗」といったメッセージを表示するため、従業員を含む管理者等は、遊技機毎に、カメラの設置の不具合を容易、且つ、早期に発見することができる。
【００３６】
さらにまた、本発明の第１５の側面に係る遊技機の設定不正監視装置によれば、前記メインボードに通信可能に接続された警報器を備え、前記情報処理端末は、前記第一判別部が、前記第一現在設定値と前記第二現在設定値とが、又は／及び、前記第一前回設定値と前記第二前回設定値とが一致しないと判別した場合、第一警報信号を前記メインボードに送信し、前記第二判別部が、前記第一現在設定値と前記予定設定値とが一致しないと判別した場合、第二警報信号を前記メインボードに送信し、前記第三判別部が、前記認識設定値と前記予定設定値とが一致しないと判別した場合、第三警報信号を前記メインボードに送信し、前記メインボードは、前記第一警報信号を受信すると、該第一警報信号を前記警報器へ送信し、前記第二警報信号を受信すると、該第二警報信号を前記警報器へ送信し、前記第三警報信号を受信すると、該第三警報信号を前記警報器へ送信するよう構成できる。前記構成により、改ざんや設定変更ミスが検出されると、警報器が、第一警報情報，第二警報情報及び第三警報情報を受信して警報を発するので、従業員を含む管理者等は、遊技機毎に、コイン払出率の設定変更ミスや改ざんを容易に判別することができる
【００３７】
さらにまた、本発明の第１６の側面に係る遊技機の設定不正監視装置によれば、前記情報処理端末は、携帯できる携帯情報処理端末であるよう構成できる。前記構成により、情報処理端末は、携帯可能であるため、作業を行う従業員を含む管理者等が、作業時にその場で不正の有無を確認することができる。
【００３８】
さらにまた、本発明の第１７の側面に係る遊技機の設定不正監視装置によれば、遊技結果に応じてコインを払い出す遊技機に設けられ、前記コイン払出率の設定値を表示する設定表示部を撮像する撮像手段と、前記撮像手段によって撮像された画像データを受信し、前記画像データを光学文字認識して得られる文字データを活字として表示する機能を有する携帯可能な情報処理手段とを備え、前記情報処理手段は、前回得られた設定値を前記遊技機と関連づけて記憶しており、前記遊技機に対応する、記憶された前回の設定値である前回設定値と前記撮像手段で撮像された現在の設定値である現在設定値とを併せて表示するよう構成できる。
【００３９】
前記構成により、情報処理手段は、コイン払出率の前回設定値を遊技機と関連づけて記憶し、撮像手段によって得られた画像データを文字データに変換した現在設定値と併せて表示するため、遊技機のコイン払出率が不正に変更されているかを容易に判別できる。
【００４０】
また、前記構成により、情報処理手段は、携帯可能であるため、作業を行う管理者が、作業時にその場で不正の有無を確認し、既定値に戻すことができる。
【００４１】
さらに、また、前記構成により、情報処理手段や撮像手段は一組あれば足りるので、予算に応じたシステム構築が可能となり、予算が少なければ情報処理手段及び撮像手段の台数を少なくすれば、低廉に抑えることができ、予算が多ければ、店舗内外で一元管理できる大きなシステムを構築できるというメリットがある。
【００４２】
さらにまた、本発明の第１８の側面に係る遊技機の設定不正監視装置によれば、前記遊技機において新設定値を決定する操作がされる際に発信されるパルス信号を検出し、増幅して、トリガ信号として前記情報処理手段に送信するトリガ信号送信手段を備え、前記情報処理手段は、前記トリガ信号送信手段によって送信された前記トリガ信号を受信すると、前記前回設定値及び前記現在設定値と併せて、前記現在設定値を前記新設定値として表示するとともに、前記前回設定値として次回に表示されるものとして前記遊技機と関連づけて前記新設定値を記憶するよう構成できる。
【００４３】
前記構成により、情報処理手段は、トリガ信号送信手段を備えているので、遊技機から発信されるパルス信号から情報処理手段で認識できるトリガ信号として送信することができ、これによって、情報処理手段は、遊技機においてコイン払出率の設定が決定されたことを判別でき、現在設定値として表示されている設定値を、前回設定値及び現在設定値と併せて、設定の確定値であることを意味する新設定値として表示するので、遊技機のコイン払出率が不正に変更されているかを容易に判別できるだけでなく、設定した新設定値の正誤を確認しながらコイン払出率の設定操作を行うことができる。
【００４４】
また、前記構成により、情報処理手段は、前記新設定値を前回設定値として次回に表示されるものとして遊技機と関連づけて記憶するため、次回の作業時に、前回設定値と現在設定値とを対比して表示することができ、次回のコイン払出率の設定作業時までの期間に遊技機のコイン払出率が不正に設定変更されたかどうかを判別することができる。
【００４５】
さらにまた、本発明の第１９の側面に係る遊技機の設定不正監視装置によれば、トリガ信号送信手段は、メインボードを介して、シリアル通信によって情報処理手段にトリガ信号を送信するよう構成できる。前記構成により、メインボードを備えており、該メインボードを遊技機毎に設置することができるので、従業員を含む管理者等は、メインボードから配線されている接続コード又は情報処理手段に接続された接続コードを介して、設置されたメインボードと情報処理手段とを簡単に接続することができ、この簡単な操作によって、遊技機で新設定値を決定する操作がされる際に発信される微弱なパルス信号を増幅してトリガ信号として情報処理手段に送信することができる。
【００４６】
さらにまた、本発明の第２０の側面に係る遊技機の設定不正監視装置によれば、前記情報処理手段は、前記現在設定値を現在設定値信号として、シリアル通信によって前記メインボードに送信し、前記トリガ信号送信手段によって送信された前記トリガ信号を受信すると、前記新設定値を新設定値信号として、シリアル通信によって前記メインボードに送信し、前記メインボードは、現在設定値信号及び／又は新設定値信号を受信すると、前記現在設定値及び／又は前記新設定値を外部表示器に表示するよう構成できる。
【００４７】
前記構成により、メインボードを備え、現在設定値及び／又は新設定値を遊技機毎に設けられた外部表示器に表示するので、従業員を含む管理者等が、遊技機毎に、情報処理手段で認識された遊技機のコイン払出率の新設定値を視認することができ、遊技機での設定値が情報処理手段で正しく認識されているかどうかを確認しながら監視や設定作業を行うことができる。
【００４８】
さらにまた、本発明の第２１の側面に係る遊技機の設定不正監視装置によれば、前記情報処理手段は、前記前回設定値と前記現在設定値とが異なる場合、又は、前記前回設定値と前記新設定値とが異なる場合、警報信号をシリアル通信によって前記メインボードに送信し、前記メインボードは、前記警報信号を受信すると、該警報信号を警報器へ送信するよう構成できる。
【００４９】
前記構成により、情報処理手段は、前回設定値と現在設定値とが異なる場合、又は、前回設定値と新設定値とが異なる場合、メインボードに警報信号を送信し、メインボードは、警報器に警報信号を送信するので、従業員を含む管理者等は、コイン払出率が不正に変更されたことを警報信号を受信した警報器の警報によって感知することができる。
【００５０】
さらにまた、本発明の第２２の側面に係る遊技機の設定不正監視装置によれば、前記情報処理手段は、前記前回設定値と前記現在設定値とが異なる場合、又は、前記前回設定値と前記新設定値とが異なる場合、警報情報を表示するよう構成できる。前記構成により、情報処理手段において、不正な設定変更が検出された際に、警報情報が表示されるため、従業員を含む管理者等は、遊技機毎に、情報処理手段において不正な設定変更を容易に判別することができる。
【００５１】
さらにまた、本発明の第２３の側面に係る遊技機の設定不正監視装置によれば、前記情報処理手段は、複数台ある前記遊技機の前回設定値と前記新設定値とを遊技機毎に関連づけて一覧表示できる機能を備えるよう構成できる。
【００５２】
前記構成により、情報処理手段は、遊技機の前回設定値と新設定値とを遊技機毎に関連づけて一覧表示できる機能を備えているため、従業員を含む管理者等は、複数台ある遊技機の設定値情報を一覧することができ、どの遊技機まで設定を済ませたかを確認しながら監視作業を進めることができる。
【００５３】
さらにまた、本発明の第２４の側面に係る遊技機の設定不正監視装置によれば、前記警報情報は、前記遊技機毎に、前記前回設定値と前記現在設定値とが異なる、又は、前記前回設定値と前記新設定値とが異なることを示す表示とすることができる。前記構成により、情報処理手段に、警報情報が画面表示されるため、管理者は、コイン払出率の不正な設定変更を目視によって感知することができる。
【００５４】
さらにまた、本発明の第２５の側面に係る遊技機の設定不正監視装置によれば、前記情報処理手段は、前記撮像手段によって撮像された画像データを日付時刻と関連づけて保存するよう構成できる。前記構成により、情報処理手段は、撮像手段によって撮像された画像を画像データとして日付と関連づけて保存するため、改ざんされ難い画像データと対比することで、記憶されている設定値データの不備や改ざんがあったことを判断することができる。
【００５５】
さらにまた、本発明の第２６の側面に係る遊技機の設定不正監視装置によれば、前記撮像手段は、前記遊技機毎に各々固定されるよう構成できる。前記構成により、遊技機毎に撮像手段が固定されるため、複数ある遊技機に順にコイン払出率の設定作業を行う際に、カメラ位置の調整を行う必要がなく、固定された撮像手段から配線される例えばＵＳＢケーブルと情報処理手段とを接続するだけで済むので、不正な設定変更の監視を簡便に行うことができる。
【００５６】
さらにまた、本発明の第２７の側面に係る遊技機の設定不正監視装置によれば、前記情報処理手段は複数台あり、その各々が、無線又は有線によって双方向に通信可能に接続されており、前記前回設定値及び前記新設定値の記憶データを共有するよう構成できる。
【００５７】
前記構成により、複数台ある情報処理手段は、前回設定値及び新設定値の記憶データを共有するようにしており、各々が有する前回設定値及び新設定値は同期されて最新のデータに更新されるので、複数台ある遊技機に対して、複数台の情報処理手段を用いて、一斉に、コイン払出率の不正な設定変更の監視や設定作業を行うことができる。
【００５８】
さらにまた、本発明の第２８の側面に係る遊技機の設定不正監視装置によれば、前記情報処理手段は、サーバ装置と、無線又は有線によって双方向に通信可能に接続されており、前記サーバ装置で一元管理されている前記前回設定値及び前記新設定値の記憶データを共有するよう構成できる。
【００５９】
前記構成により、情報処理手段から設定不正情報が同期されるサーバ装置を設けることで、コイン払出率の不正な設定変更の監視や設定作業時以外にも、前回設定値及び新設定値の記憶データを閲覧管理することができる。
【００６０】
また、前記構成により、店舗外に、情報処理手段から設定不正情報が同期されるサーバ装置を設けることで、各店舗の設定不正情報を店舗外から一元管理することができる。
【００６１】
さらにまた、本発明の第２９の側面に係る遊技機の設定不正監視装置によれば、前記情報処理手段は、前記遊技機と関連づけて、管理者が予定している設定値である予定設定値を記憶しており、前記新設定値と前記予定設定値とが異なる場合、警報情報を表示するよう構成できる。前記構成により、情報処理手段は、新設定値と予定設定値とが異なる場合に、例えば、黒色であった予定設定値の表示が赤色に変わる等の警報情報を表示するので、管理者は、従業員の不正な設定変更を監視することができる。
【００６２】
さらにまた、本発明の第３０の側面に係る遊技機の設定不正監視装置によれば、前記情報処理手段は、前記遊技機と関連づけて、管理者が予定している設定値である予定設定値を記憶しており、前記新設定値と前記予定設定値とが異なる場合、警報信号をシリアル通信によって前記メインボードに送信し、前記メインボードは、前記警報信号を受信すると、該警報信号を警報器へ送信するよう構成できる。
【００６３】
前記構成により、情報処理手段は、新設定値と予定設定値とが異なる場合、メインボードに警報信号を送信し、メインボードは、警報器に警報信号を送信するので、従業員は、コイン払出率が不正に変更したことを警報信号を受信した警報器の警報によって感知することになり、管理者は、従業員の不正な設定変更を監視することができる。
【図面の簡単な説明】
【００６４】
【図１】本発明の第一実施例に係る遊技機の設定不正監視装置の全体構成を示す模式図である。
【図２】本発明の第一実施例に係る遊技機の設定不正監視装置における、情報処理端末の電気的な構成の一例を示すブロック図である。
【図３】本発明の第一実施例に係る遊技機の設定不正監視装置における、メインボードの電気的な構成の一例を示すブロック図である。
【図４】本発明の第一実施例に係る遊技機の設定不正監視装置の機能的な構成の一例を示すブロック図である。
【図５】本発明の第一実施例に係る遊技機の設定不正監視装置における、情報処理端末とメインボードとが接続された際に表示されるユーザインターフェース画面のイメージ図である。
【図６】本発明の第一実施例に係る遊技機の設定不正監視装置における、第一モードが選択された場合のユーザインターフェース画面のイメージ図である。
【図７】本発明の第一実施例に係る遊技機の設定不正監視装置における、確認ボタンが選択された場合のユーザインターフェース画面のイメージ図である。
【図８】本発明の第一実施例に係る遊技機の設定不正監視装置における、終了ボタンが選択された場合のユーザインターフェース画面のイメージ図である。
【図９】本発明の第一実施例に係る遊技機の設定不正監視装置における、第二モードが選択された場合のユーザインターフェース画面のイメージ図である。
【図１０】本発明の第一実施例に係る遊技機の設定不正監視装置における、認識設定値と予定設定値とが異なる場合のユーザインターフェース画面のイメージ図である。
【図１１】本発明の第一実施例に係る遊技機の設定不正監視装置における、画像認識に失敗した場合のユーザインターフェース画面のイメージ図である。
【図１２】本発明の第一実施例に係る遊技機の設定不正監視装置における、スケジュールボタンが選択された場合のユーザインターフェース画面のイメージ図である。
【図１３】本発明の第二実施例に係る遊技機の設定不正監視装置の個別構成を示す模式図である。
【図１４】本発明の第二実施例に係る遊技機の設定不正監視装置の全体構成を示す模式図である。
【図１５】本発明の第二実施例に係る遊技機の設定不正監視装置の動作の説明に供する図であって、（Ａ）設定表示部撮像時の種々設定値の表示状態を示す図であり、（Ｂ）新設定値の入力時の種々設定値の表示状態を示す図であり、（Ｃ）新設定値を確定した時の種々設定値の表示状態を示す図であり、（Ｄ）新設定値確定後の種々設定値の表示状態を示す図である。
【図１６】本発明の第二実施例に係る携帯情報処理端末の一覧表示機能の説明に供する図である。
【図１７】本発明の第二実施例に係る遊技機の設定不正監視装置における、情報処理の流れを示すシーケンス図である。
【図１８】本発明の第二実施例に係る遊技機の設定不正監視装置における、携帯情報処理端末の表示画面を示す模式図である。
【図１９】従来のスロットゲーム機への不正行為報知装置の構成を示す模式図である。
【発明を実施するための形態】
【００６５】
以下、本発明の実施の形態を図面に基づいて説明する。ただし、以下に示す実施の形態は、本発明の技術思想を具体化するための例示であって、本発明は以下のものに特定されない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００６６】
本発明に係る遊技機の設定不正監視装置１，１０１（以下、設定不正監視装置１，１０１という。）の全体構成を示す模式図を図１に示す。図１に示すように、遊技機ＳＬに対して、設定不正監視装置１，１０１が設置される。設定不正監視装置１，１０１は、遊技機ＳＬに対して、設定ボタンＳＢが押下されたことを検出するための設定ボタン押下センサ２（設定不正監視装置１のみ）と、レバースイッチＬＳのＯＮ／ＯＦＦ情報を検出するためのレバースイッチセンサ４１，１４１と、各種の制御を実行するためのメインボード５１，１５１とが設置され、メインボード５１，１５１に対して、情報処理端末３１，１３１が接続される。遊技機ＳＬに設けられた設定表示部ＤＩの表示を撮像するためのカメラ２１，１２１が遊技機ＳＬに設置され、カメラ２１，１２１による画像データは、接続ケーブル３を介して、情報処理端末３１，１３１に取り込まれるようになっている。
【００６７】
また、設定不正監視装置１，１０１は、メインボード５１，１５１に接続された、外部表示器５２，１５２と、警報器５３，１５３とを備え、メインボード５１，１５１からの指令に基づいて、表示や警報を行うことで、コインの不正投入やコイン払出率の改ざんがされないよう監視することができる。第一実施例は、設定ボタン押下センサ２を設定ボタンＳＢに設置し、メインボード５１に不揮発性メモリを設けることで、設定ボタンＳＢの押下を検出し、押下回数からコイン払出率の設定値を算出し、該設定値を記憶することが可能となり、カメラ２１を介さなくとも、不正の判別が可能となると共に、必要に応じて、カメラ機能の要否を選択可能とすることで、情報処理端末３１において、不正を高度に判別することができる。
【００６８】
第二実施例は、メインボード１５１が不揮発性メモリを備えず、コイン払出率の設定値をカメラ１２１からのみ取得するため、カメラ１２１が必須であり、カメラ１２１と、メインボード１５１とを介して得られる情報を携帯情報処理端末１３１で記憶して不正の判別をする。
【００６９】
以下、第一実施例と第二実施例とに分けて説明する。第二実施例の部材は、１００番台の符号を付し、特に、第一実施例と共通する部材には、対応関係が分かるように、第一実施例の部材の符合に１００を足した符合を付している。また、第一実施例では、特許請求の範囲における情報処理端末は、タブレット等の携帯情報処理端末を想定しているが、店舗内ＰＣ６１とメインボード５１とを有線又は無線で双方向に通信可能とすることで、携帯情報処理端末と同様の機能を店舗内ＰＣ６１に持たせてもよい。
（遊技機ＳＬ）
【００７０】
遊技機ＳＬは、例えば、遊技機の一種である回胴式遊技機、具体的にはスロットマシンであって、ゲーム開始時に押下されるスタートレバーと兼用であり、コイン払出率の設定作業時においては、コイン払出率の設定値を決定するレバースイッチＬＳと、遊技機ＳＬ内部には、コインの出やすさを司るコイン払出率を選択するための設定ボタンＳＢと、コイン払出率の設定値を表示する、例えば、７セグメント表示器である設定表示部ＤＩと、遊技機ＳＬのコイン払出率の設定作業時に遊技機ＳＬを設定作業可能な設定モードに切り替えるための設定スイッチＳＳ（図示せず。）とが設けられている。
【００７１】
コイン払出率の設定作業時は、先ず、従業員を含む管理者等が、通常、施錠管理されている遊技機ＳＬの内部に通じるドアを開き、設定スイッチＳＳをＯＮにし、電源を一度切り、再度電源を投入すると、遊技機ＳＬが設定モードになり、コイン払出率を変更できるようになる。この時、設定表示部ＤＩには、現在設定値が表示され、設定ボタンＳＢを押下すると、設定表示部ＤＩに表示された現在設定値が変更される。例えば、従業員を含む管理者等が、設定ボタンＳＢを１回押下すると、現在設定値が１加算されて表示され、６を超えると１が表示されるようになっている。このように現在設定値が選択され、レバースイッチＬＳが押下されると、コイン払出率の新たな設定値である新設定値が決定される。新設定値が決定された後、従業員を含む管理者等が、設定スイッチＳＳをＯＦＦにし、電源を一度切り、再度電源を投入すると、遊技機ＳＬが新設定値でプレイモードになる。
（第一実施例）
（設定不正監視装置１の構成）
【００７２】
設定不正監視装置１は、図１に示すように、遊技機ＳＬに設けられた設定ボタンＳＢによってコイン払出率が選択されたことを検出するための設定ボタン押下センサ２と、レバースイッチＬＳによってコイン払出率の設定のＯＮ／ＯＦＦを検出するためのレバースイッチセンサ４１と、メインボード５１と、メインボード５１に通信可能に接続された外部表示器５２と、メインボード５１と双方向に通信可能に接続された情報処理端末３１と、設定表示部ＤＩを一定の方向から撮像するカメラ２１とを主要部として備えている。なお、情報処理端末３１は、タブレット等の携帯情報処理端末の他、店舗毎に設置されている店舗内ＰＣ６１を利用してもよい。
（設定ボタン押下センサ２）
【００７３】
設定ボタン押下センサ２は、電流センサであって、設定ボタンＳＢの制御回路からの配線に取り付けられる。設定時において、設定ボタンＳＢが押下されると、設定ボタンＳＢの制御回路からパルス信号が発生し、配線に微弱なパルス信号が流れる。このパルス信号電流を増幅して、トリガ信号として、メインボード５１に出力する。
（カメラ２１）
【００７４】
カメラ２１は、遊技機ＳＬのコイン払出率の現在の設定値が表示されている設定表示部ＤＩを撮像し、コイン払出率の現在の画像データを情報処理端末３１にリアルタイムに出力するための部材である。カメラ２１は、例えば市販のＵＳＢカメラを情報処理端末３１に接続ケーブル３（例えばＵＳＢケーブル）を介して接続して使用する。
【００７５】
また、カメラ２１は、各遊技機ＳＬに予め設置しておくとよい。こうすることで、撮像する際に、カメラ２１の位置調整をする必要が無く、作業効率が向上する。
（情報処理端末３１）
【００７６】
情報処理端末３１は、主として、第二記憶部３１４に記憶される設定値と、メインボード５１の第一記憶部５１４に記憶される設定値とを比較することで、不正の判別を可能とするための部材である。図２は、情報処理端末３１の電気的な構成の一例を示すブロック図である。情報処理端末３１は、図２に示すように、ＣＰＵ３１１，ＲＯＭ３１２，ＲＡＭ３１３，第二記憶部３１４（ハードディスクドライブ等），表示部３１５，入力部３１６，通信インターフェース３１７を備えており、これらはバス３１８で互いに接続されている。ＣＰＵ３１１は、ＲＯＭ３１２に格納されているプログラムに基づいて、ＲＯＭ３１２，ＲＡＭ３１３，第二記憶部３１４（ハードディスクドライブ等），表示部３１５，入力部３１６，通信インターフェース３１７の相互間でのデータの送受を制御したり、入力部３１６，表示部３１５及び通信インターフェース３１７の制御を行ったりしている。
【００７７】
情報処理端末３１は、通信インターフェース３１７を介して、無線ＬＡＮ（ローカルエリアネットワーク）通信や有線ＬＡＮ通信が可能であり、各種情報処理及び表示が可能な、例えば、タブレット端末（例えば、ｉＰａｄ（アップル  インコーポレイテッド社登録商標）等）やノート型パーソナルコンピュータ等の携帯可能な一般的な情報処理端末であればよい。
【００７８】
また、情報処理端末３１は、ＵＳＢ端子を備え、メインボード５１と接続ケーブル４を介して接続され、カメラ２１とも接続される場合には、必要に応じて、ＵＳＢハブが用いられる。
（レバースイッチセンサ４１）
【００７９】
レバースイッチセンサ４１は、電流センサであって、レバースイッチＬＳの制御回路からの配線に取り付けられる。設定時において、レバースイッチＬＳが押下されると、レバースイッチＬＳの制御回路からパルス信号が発生し、配線に微弱なパルス信号が流れる。このパルス信号電流を増幅して、トリガ信号としてメインボード５１又は情報処理端末３１等に出力する。
（メインボード５１）
【００８０】
メインボード５１は、主として、不揮発性メモリを備えることで、コイン払出率の設定値を記憶し、カメラ２１を介さなくとも、不正の判別を可能とするための部材である。図３は、メインボード５１の電気的な構成の一例を示すブロック図である。メインボード５１は、図３に示すように、ＣＰＵ５１１，ＲＯＭ５１２，ＲＡＭ５１３，第一記憶部５１４（不揮発性メモリ），通信ポート５１５，トリガ信号受信ポート５１６，外部表示ポート５１７，及び警報ポート５１８を備えており、これらはバス５１９で互いに接続されている。ＣＰＵ５１１は、ＲＯＭ５１２に格納されているプログラムに基づいて、ＲＯＭ５１２，ＲＡＭ５１３，第一記憶部５１４，通信ポート５１５，トリガ信号受信ポート５１６，外部表示ポート５１７，及び警報ポート５１８の相互間でのデータの送受を制御している。
【００８１】
ＣＰＵ５１１は、外部表示器５２に第一記憶部５１４又は後述する第二記憶部３１４で記憶しているコイン払出率の設定値を表示するよう制御する。第一記憶部５１４は、不揮発性メモリであって、一度記憶したコイン払出率設定値を、メインボード５１の電源のＯＮ／ＯＦＦに関係なく記憶することができる。ＲＡＭ５１３は、例えば、レバースイッチセンサ４１がＯＮを検出した場合、ＯＮ情報を記憶し、遊技機ＳＬ本体の電源が切られた場合、ＯＮ情報を消去する。
【００８２】
通信ポート５１５は、シリアル端子を含むシリアル通信を行うためのポートであり、ＵＳＢ―シリアル変換ケーブルを介して、情報処理端末３１に双方向に通信可能に接続される。
【００８３】
トリガ信号受信ポート５１６は、少なくとも２個設けられており、設定ボタン押下センサ２、及び、レバースイッチセンサ４１から送信されるトリガ信号を受信する。
【００８４】
外部表示ポート５１７は、外部表示器５２に対して、表示信号を送信するための部材である。外部表示器５２は、表示信号を受信すると、表示信号に基づいて表示をする。
【００８５】
警報ポート５１８は、警報器５３に対して、警報信号を送信するための部材である。警報器５３は、警報信号を受信すると、例えば警報音を発する。
（外部表示器５２）
【００８６】
外部表示器５２は、外部表示ポート５１７を介して、メインボード５１に通信可能に接続され、メインボード５１から送信された表示信号を受信し、表示信号に基づいて表示するための部材である。
（警報器５３）
【００８７】
警報器５３は、警報ポート５１８を介して、メインボード５１に通信可能に接続され、メインボード５１が、警報信号を受信すると、警報信号を警報器５３へ送信し、これを受信した警報器５３は、例えば警報音を発信する。なお、警報器５３の警報方法は、光による点滅表示や振動装置による振動等、警報を周知できる方法であればよく、警報音に限定されない。
（店舗内ＰＣ６１）
【００８８】
店舗内ＰＣ６１は、図１に示すように、ＬＡＮやインターネットを介して、情報処理端末３１と双方向に通信可能に接続された、パーソナルコンピュータやサーバ装置であって、各遊技機ＳＬの設定値情報や、警報情報に関する各種最新情報を共有できるように各情報処理端末３１と同期する。
【００８９】
また、店舗内ＰＣ６１は、外部店舗内の店舗内ＰＣ６１である店舗外ＰＣ６２（図示せず。）と双方向に、例えば、有線又は無線で通信可能に接続されており、外部店舗の遊技機ＳＬの設定値情報や、警報情報に関する各種最新情報を得ることができる。
（現在設定値）
【００９０】
現在設定値は、遊技機ＳＬの現在のコイン払出率を示しており、便宜上、メインボード５１の第一記憶部５１４に記憶するものを第一現在設定値といい、情報処理端末３１の第二記憶部３１４に記憶するものを第二現在設定値という。
【００９１】
第一現在設定値は、例えばメインボード５１の初期設定において、設定表示部ＤＩに表示される設定値を予め一致させておくことで、設定ボタン押下センサ２に誤検出が無い限り、初期設定値と設定ボタン押下センサ２によって検出された押下回数とを加算した値となるはずであり、遊技機ＳＬの現在のコイン払出率を示す。なお、第一現在設定値は、情報処理端末３１の表示部３１５のユーザインターフェース上の設定画面７０の推定値表示欄７０９に表示される。また、第一現在設定値は、例えば、１〜６の何れか一の値をとり、６を超えると１に戻る（以下、第二現在設定値等で同じ。）。
【００９２】
第二現在設定値は、情報処理端末３１とメインボード５１とが双方向に通信可能に接続されている時に、メインボード５１において得られた第一現在設定値、或いは、メインボード５１を経由して、設定ボタン押下センサ２からのトリガ信号を受信して、このトリガ信号の受信回数と初期設定値とを加算した値が第二記憶部３１４に記憶される。また、カメラ２１を優先するモードである第二モードが選択されている場合、カメラ２１によって撮像された設定表示部ＤＩの画像データが、後述する数値変換部３１Ｇによって光学文字認識して後述する認識設定値に変換され、第二現在設定値として第二記憶部３１４に記憶される。
【００９３】
情報処理端末３１がメインボード５１に接続された際に、第一現在設定値と第二現在設定値とが異なる場合、情報処理端末３１がメインボード５１に接続されていない時に、遊技機ＳＬの設定ボタンＳＢが押下され、不正なコイン払出率の設定が行われた可能性があることを意味する。
（新設定値）
【００９４】
新設定値は、レバースイッチセンサ４１がレバースイッチＬＳの押下を検出した際に、第一記憶部５１４及び第二記憶部３１４に記憶されている第一現在設定値及び第二現在設定値が設定済の値として記憶される。現在設定値が、現在のコイン払出率の設定値の選択を反映したものであり、設定ボタンＳＢの押下にリアルタイムに変動するものであるのに対して、新設定値は、現在のコイン払出率の設定値の決定を反映したものであり、レバースイッチＬＳの押下される度に、確定値として、第一記憶部５１４及び第二記憶部３１４に記憶される。
【００９５】
レバースイッチＬＳの押下された際は、メインボード５１側で、第一新設定値と第一現在設定値とは同じ値となり、情報処理端末３１側でも、第二新設定値と第二現在設定値とが同じ値となる。第二現在設定値と第一現在設定値とは、同期された値となるため、結局、レバースイッチＬＳの押下された際には、第一現在設定値、第一新設定値、第二現在設定値、第二新設定値は、全て同じ値となる。
（前回設定値）
【００９６】
前回設定値は、レバースイッチＬＳの押下された際に、新設定値であった値である。したがって、レバースイッチＬＳが押下されると、新設定値は前回設定値に変わり、新設定値は現在設定値に上書きされる。
【００９７】
第一記憶部５１４は、不揮発性メモリからなるため、メインボード５１の電源が一旦切られ再投入されても、前回にレバースイッチＬＳが押下された際の各設定値を記憶しており、情報処理端末３１においても同様に、第二記憶部３１４は、次回にメインボード３１と情報処理端末３１とが接続された際にも、前回にレバースイッチＬＳが押下された際の各設定値を記憶している。
【００９８】
本実施の形態においては、現在設定値、新設定値、前回設定値というように、パラメータを分けているが、例えば、設定値という一のパラメータをレバースイッチＬＳが押下されたタイミング毎に時系列で記憶するようにしておき、最新の値を新設定値とし、二番目に新しい値を前回設定値というように対応付けてもよい。
（予定設定値）
【００９９】
予定設定値は、従業員を含む管理者等が、予め、遊技機毎にコイン払出率を決めておき、予定通りに、遊技機毎にコイン払出率が設定されなければ、警告が発せられるため、内部の関係者による設定変更ミスや改ざんを防止するために設けられている。
【０１００】
予定設定値は、情報処理端末３１において、管理者等によって入力部３１６を介して入力され、第二記憶部３１４に記憶される。
（認識設定値）
【０１０１】
認識設定値は、カメラ２１を優先するモードである第二モードが選択されている場合、カメラ２１によって撮像された設定表示部ＤＩの画像データを、後述する数値変換部３１Ｇによって、光学文字認識して得られる値であって、第二現在設定値として第二記憶部３１４に記憶される。
（数値変換部３１Ｇ）
【０１０２】
続いて、設定不正監視装置１の機能的な構成について図４を参照しながら説明する。図４は、設定不正監視装置１の機能的な構成の一例を示すブロック図である。数値変換部３１Ｇは、例えば情報処理端末３１に設けられ、カメラ２１を優先するモードである第二モードが選択されている場合、カメラ２１によって撮像された設定表示部ＤＩの画像データを、光学文字認識して認識設定値を得るための部材である。
（認識解析部３１Ｈ）
【０１０３】
認識解析部３１Ｈは、例えば情報処理端末３１に設けられ、数値変換部３１Ｇによって変換された認識設定値から、画像データから光学文字認識が正常に行われたか否かを解析するための部材である。認識解析部３１Ｈは、認識設定値が１〜６の数値以外であれば、画像データから光学文字認識が正常に行われていない、又は、カメラ２１が正常に設置されていないと解析する。
（モード切替部３１Ｆ）
【０１０４】
モード切替部３１Ｆは、例えば情報処理端末３１に設けられ、設定ボタン押下センサ２を介してコイン払出率の設定値を認識する第一モードと、設定表示部ＤＩの表示からカメラ２１を介してコイン払出率の設定値を認識する第二モードとを切り替えるための部材である。情報処理端末３１は、遊技機ＳＬの電源投入回数を第二記憶部３１４に記憶しており、電源投入回数が０又は１の時には、初期設定画面が表示部３１５に表示され、予め、遊技機ＳＬの機種毎に第一モード又は第二モードの何れかが選択され設定される。これにより、管理者等は、次回、メインボード５１と情報処理端末３１とを接続した際に、初期設定時に設定した機種に最適なモードで設定作業を行うことができる。
【０１０５】
また、モード切替部３１Ｆは、カメラ２１を優先する第二モードが選択されており、レバースイッチＬＳがＯＮの場合であって、さらに、認識解析部３１Ｈが、画像データから光学文字認識が正常に行われていないと解析した場合、第一モードに切り替えるよう制御する。
（レバースイッチセンサ信号受信部５１Ｃ）
【０１０６】
レバースイッチセンサ信号受信部５１Ｃは、メインボード５１に設けられ、レバースイッチセンサ４１からのトリガ信号を受信するための部材である。メインボード５１は、ＲＡＭ５１３に、ＯＮ／ＯＦＦ情報を示すフラッグの記憶領域が設けられ、レバースイッチセンサ信号受信部５１Ｃがトリガ信号を受信すると、このフラッグが立てられる。
（設定ボタン押下センサ信号受信部５１Ｂ）
【０１０７】
設定ボタン押下センサ信号受信部５１Ｂは、メインボード５１に設けられ、設定ボタン押下センサ２からのトリガ信号を受信するための部材である。メインボード５１は、ＲＡＭ５１３に、現在設定値情報を示す数値の記憶領域が設けられ、設定ボタン押下センサ信号受信部５１Ｂがトリガ信号を受信すると、トリガ信号の受信回数を反映した数値が記憶される。
（第一記憶制御部５１Ａ）
【０１０８】
第一記憶制御部５１Ａは、メインボード５１に設けられ、第一記憶部５１４に、第一現在設定値、第一新設定値、第一前回設定値を記憶するよう制御するための部材である。第一記憶制御部５１Ａは、ＲＡＭ５１３に記憶された設定ボタン押下センサ２からのトリガ信号の受信回数を反映した数値と、第一記憶部５１４に記憶された第一現在設定値とを加算して、新たな第一現在設定値として第一記憶部５１４に上書き記憶するよう制御する。これにより、第一現在設定値は、設定表示部ＤＩに表示される遊技機ＳＬのコイン払出率と同一になる。
【０１０９】
また、第一記憶制御部５１Ａは、ＲＡＭ５１３に記憶されたレバースイッチセンサ４１からのトリガ信号をフラッグから、レバースイッチＬＳのＯＮ／ＯＦＦを判断し、レバースイッチＬＳがＯＮの場合、第一新設定値を新たな第一前回設定値として、第一現在設定値を新たな第一新設定値として、第一記憶部５１４にそれぞれ上書き記憶するよう制御する。
（外部表示制御部５１Ｅ）
【０１１０】
外部表示制御部５１Ｅは、メインボード５１に設けられ、メインボード５１に通信可能に接続された外部表示器５２に、各種設定値を表示するよう制御するための部材である。外部表示制御部５１Ｅは、予定設定値と、第一現在設定値及び／又は第二現在設定値とを外部表示器５２に表示するよう制御する。なお、外部表示制御部５１Ｅは、第一前回設定値と、第一現在設定値及び／又は第二現在設定値とを外部表示器５２に表示するよう制御する。
（警報制御部５１Ｆ）
【０１１１】
警報制御部５１Ｆは、メインボード５１に設けられ、メインボード５１に通信可能に接続された警報器５３に、例えば警報音を発信するよう警報信号を送信するよう制御する。より具体的には、警報制御部５１Ｆは、第一警報信号を受信すると、該第一警報信号を警報器５３へ送信し、第二警報信号を受信すると、該第二警報信号を警報器５３へ送信し、第三警報信号を受信すると、該第三警報信号を警報器５３へ送信する。なお、第一警報信号〜第三警報情報は同じ信号であってもよい。また、警報器５３の警報制御の方法は、光による点滅表示や振動装置による振動等、警報を周知できる方法であればよく、警報音に限定されない。
（通信制御部５１Ｄ）
【０１１２】
通信制御部５１Ｄは、メインボード５１に設けられ、情報処理端末３１との間で双方向に通信制御するための部材である。
（第二記憶制御部３１Ａ）
【０１１３】
第二記憶制御部３１Ａは、情報処理端末３１に設けられ、第二記憶部３１４に、第二現在設定値、第二新設定値、第二前回設定値を記憶するよう制御するための部材である。第二記憶制御部３１Ａは、設定ボタン押下センサ２による設定ボタンＳＢの押下を検出することで現在設定値を取得する第一モードが選択されている場合、情報処理端末３１とメインボード５１とが双方向に通信可能に接続されている時に、メインボード５１において得られた第一現在設定値を新たな第二現在設定値として、同様に、第一新設定値を新たな第二新設定値として、第一前回設定値を新たな第二前回設定値として、第二記憶部３１４に上書き記憶するよう制御する。なお、第二記憶制御部３１Ａは、ＲＡＭ３１３に記憶されたレバースイッチセンサ４１からのトリガ信号のフラッグから、レバースイッチＬＳのＯＮ／ＯＦＦを判断し、レバースイッチＬＳがＯＮの場合、第二新設定値を新たな第二前回設定値として、第二現在設定値を新たな第二新設定値として、第二記憶部３１４にそれぞれ上書き記憶するよう制御してもよい。これにより、レバースイッチＬＳがＯＮの場合、第二新設定値が、新たな第二前回設定値として、第二現在設定値が、新たな第二新設定値として、第二記憶部３１４にそれぞれ上書き記憶される。
【０１１４】
また、第二記憶制御部３１Ａは、カメラ２１を優先する第二モードが選択されており、レバースイッチＬＳがＯＮの場合、カメラ２１によって撮像された設定表示部ＤＩの画像データを、数値変換部３１Ｇによって光学文字認識して認識設定値に変換し、認識設定値を第二現在設定値及び第二新設定値として第二記憶部３１４に記憶するよう制御する。第一新設定値に変更があった場合、又は、レバースイッチセンサ４１からのトリガ信号を反映した第一記憶部３１４のフラッグから、レバースイッチＬＳがＯＮであると判断できる場合、第二新設定値が、新たな第二前回設定値として、第二現在設定値が、新たな第二新設定値として、第二記憶部３１４にそれぞれ上書き記憶される。
【０１１５】
さらにまた、第二記憶制御部３１Ａは、カメラ２１を優先する第二モードが選択されており、レバースイッチＬＳがＯＮの場合であって、さらに、認識解析部３１Ｈが、画像データから光学文字認識が正常に行われていないと解析した場合、第一現在設定値を第二現在設定値及び第二新設定値として第二記憶部３１４に記憶するよう制御する。
（表示制御部３１Ｉ）
【０１１６】
表示制御部３１Ｉは、情報処理端末３１の表示部３１５に、設定画面７０を表示し、第二前回設定値、第二新設定値、予定設定値等の各種設定値を表示するよう制御するための部材である。
【０１１７】
また、表示制御部３１Ｉは、カメラ２１を優先するモードである第二モードが選択されている場合、情報処理端末３１の表示部３１５に、後述する表示制御部３１Ｉによって、カメラ２１によって撮像された設定表示部ＤＩの画像データを表示するよう制御する。
【０１１８】
さらにまた、表示制御部３１Ｉは、第一判別部３１Ｂが、第一現在設定値と第二現在設定値とが、又は／及び、第一前回設定値と第二前回設定値とが一致しないと判別した場合、第一警報情報を設定画面７０上に表示するよう制御する。第一警報情報として、例えば、「現在設定値が一致しません」といったメッセージをメッセージ表示欄７００に表示し、また、現在値表示欄又は／及び前回値表示欄の背景色を赤色で表示するよう制御する。
【０１１９】
さらにまた、表示制御部３１Ｉは、第二判別部３１Ｃが、第一現在設定値と予定設定値とが一致しないと判別した場合、第二警報情報を設定画面７０上に表示するよう制御する。第二警報情報として、例えば、「予定値と設定値が一致しません」といったメッセージをメッセージ表示欄７００に表示し、また、推定値表示欄７０９の背景色を赤色で表示するよう制御する。
【０１２０】
さらにまた、表示制御部３１Ｉは、第三判別部３１Ｄが、認識設定値と予定設定値とが一致しないと判別した場合、第三警報情報を設定画面７０上に表示するよう制御する。第三警報情報として、例えば、「予定値と設定値が一致しません」といったメッセージをメッセージ表示欄７００に表示し、また、認識値表示欄７１０の背景色を赤色で表示するよう制御する。
【０１２１】
さらにまた、表示制御部３１Ｉは、認識解析部３１Ｈが、光学文字認識が正常に行われていないと解析した場合、第四警報情報を設定画面７０上に表示するよう制御する。
（警報制御部３１Ｊ）
【０１２２】
警報制御部３１Ｊは、情報処理端末３１に設けられ、第一判別部３１Ｂ〜第二判別部３１Ｄによって、各種設定値が一致しない場合に警報信号をメーンボード５１に送信するよう制御するための部材である。より具体的には、警報制御部３１Ｊは、第一判別部３１Ｂが、第一現在設定値と第二現在設定値とが、又は／及び、第一前回設定値と第二前回設定値とが一致しないと判別した場合、第一警報信号をメインボード５１に送信するよう制御する。
【０１２３】
さらにまた、警報制御部３１Ｊは、第二判別部３１Ｃが、第一現在設定値と予定設定値とが一致しないと判別した場合、第二警報信号をメインボード５１に送信するよう制御する。
【０１２４】
さらにまた、警報制御部３１Ｊは、第三判別部３１Ｄが、認識設定値と予定設定値とが一致しないと判別した場合、第三警報信号をメインボード５１に送信するよう制御する。
（第一判別部３１Ｂ）
【０１２５】
第一判別部３１Ｂは、例えば情報処理端末３１に設けられ、第一現在設定値と第二現在設定値とが一致するか否かを判別するための部材である。
（第二判別部３１Ｃ）
【０１２６】
第二判別部３１Ｃは、例えば情報処理端末３１に設けられ、レバースイッチセンサ４１がレバースイッチＬＳのＯＮを検出した場合、第一現在設定値と予定設定値とが一致するか否かを判別するための部材である。
（第三判別部３１Ｄ）
【０１２７】
第三判別部３１Ｄは、例えば情報処理端末３１に設けられ、レバースイッチセンサ４１がレバースイッチＬＳのＯＮを検出した場合、数値変換部３１Ｇによる認識設定値と予定設定値とが一致するか否かを判別するための部材である。
（通信制御部３１Ｅ）
【０１２８】
通信制御部３１Ｅは、情報処理端末３１に設けられ、メインボード５１との間で双方向に通信制御するための部材である。
（設定画面７０の表示）
【０１２９】
次に、情報処理端末３１の表示部３１５のユーザインターフェース上に表示される設定画面７０について、図５乃至図１２を参照しながら説明する。なお、以下の設定画面７０の例において、各表示欄や各ボタン等の配置，形状，表示の仕方，サイズ，配色，模様等は適宜変更できることはいうまでもない。デザインの変更によってより見易く、評価や判断が容易な表示としたり、操作し易いレイアウトとすることもできる。例えば、詳細設定画面を別ウィンドウで表示させる，複数画面を同一表示画面内で表示する等、適宜変更できる。また、これらの設定画面において、仮想的に設けられたボタン類や表示欄に対するＯＮ／ＯＦＦ操作，数値や命令入力等の指定は、入力部３１６で行う。
【０１３０】
情報処理端末３１を用いてコイン払出率の設定作業を行う際、情報処理端末３１とメインボード５１とを接続ケーブル４で接続する。情報処理端末３１とメインボード５１とが接続されると、メインボード５１が、コイン払出率の設定値変更が不可能なセキュリティモードから、コイン払出率を設定する設定モードに切り替わり、情報処理端末３１の表示部３１５のインターフェース上に以下に詳述する設定画面７０が表示される。
【０１３１】
図５乃至図１１は、設定画面７０の一例を示しており、画面の上部に、メッセージ表示欄７００、左側に機台番号表示欄７０１，前回値表示欄７０２，現在値表示欄７０３，モード切替ボタン７０４、中央に、カメラ画像表示欄７０５、右側に、確認ボタン７０６，終了ボタン７０７，予定値表示欄７０８，推定値表示欄７０９，認識値表示欄７１０，機台移行ボタン７１１が設けられている。
【０１３２】
メッセージ表示欄７００には、図５に示すように、例えば、「電源再投入回数が８５回です。」等の遊技機ＳＬの電源の再投入回数や、第一警報情報として、「現在設定値が一致しません」、第二警報情報として、「予定値と設定値が一致しません」、第三警報情報として、「予定値と設定値が一致しません」といった警報情報等の各種メッセージが表示される。
【０１３３】
機台番号表示欄７０１には、接続されている遊技機ＳＬの機台番号が表示される。モード切替ボタン７０４では、設定ボタン押下センサ２を介してコイン払出率の設定値を認識する第一モード又は設定表示部ＤＩの表示からカメラ２１を介してコイン払出率の設定値を認識する第二モードの何れかを選択することができる。図６に示すように、モード切替ボタン７０４によって第一モードが選択されている場合は、前回値表示欄７０２には、第二前回設定値が表示される。
【０１３４】
現在値表示欄７０３には、第二新設定値が表示される。カメラ画像表示欄７０５には、例えば、「カメラ不使用」のメッセージが表示される。確認ボタン７０６は、メッセージ表示欄７００に表示されたメッセージ確認後に選択されると、メッセージをクリアするとともに、メッセージを第二記憶部３１４に記憶され、例えば、図７に示すように、メッセージ表示欄７００に「設定済みです」と表示される。
【０１３５】
終了ボタン７０７では、設定画面７０を終了することができ、図８に示すような、メニュー画面９０に戻る。
【０１３６】
予定値表示欄７０８には、管理者が予定している予定設定値が、例えば、黄色の背景色で表示され、設定が正常に終了すると、背景色が白色に変わる。推定値表示欄７０９には、第一現在設定値が表示され、予定設定値と異なる場合は、推定値表示欄７０９の背景色が、例えば、ピンク色で表示され、予定値表示欄７０８の背景色は黄色のままで、メッセージ表示欄７００に「予定値と設定値が違います」といったメッセージが表示される。また、第一現在設定値が予定設定値と一致すると、推定値表示欄７０９の背景色は、例えば、緑色になり、メッセージ表示欄７００に「設定値更新完了」といったメッセージが表示される。機台移行ボタン７１１では、次の機台へ移る際に、手動で、即座にメインボード５１をセキュリティモードに戻すことができる。なお、通常、メインボード５１は、接続が解除されると、例えば、３０秒後にセキュリティモードに戻る。
【０１３７】
また、図９に示すように、第二モードが選択されている場合は、カメラ画像表示欄７０５には、カメラ２１によって撮像された画像データが表示され、認識値表示欄７１０には、認識設定値が表示され、予定設定値と異なる場合は、図１０に示すように、認識値表示欄７１０の背景色が、例えば、ピンク色になり、予定値表示欄７０８の背景色は黄色のままで、メッセージ表示欄７００に「予定値と設定値が違います」といったメッセージが表示される。また、画像認識に失敗した場合は、図１１に示すように、認識設定値が第一現在設定値に切り替わり、第一現在設定値が予定設定値と一致すると、推定値表示欄７０９の背景色は、例えば、緑色になり、メッセージ表示欄７００に「設定値更新完了」といったメッセージが表示される。
（スケジュール画面８０の表示）
【０１３８】
次に、携帯情報処理端末の表示部３１５のユーザインターフェース上に表示されるスケジュール画面８０について、図１２を参照しながら説明する。なお、以下のスケジュール画面８０の例において、各表示欄や各ボタン等の配置，形状，表示の仕方，サイズ，配色，模様等は適宜変更できることはいうまでもない。デザインの変更によってより見易く、評価や判断が容易な表示としたり、操作し易いレイアウトとすることもできる。例えば、詳細設定画面を別ウィンドウで表示させる，複数画面を同一表示画面内で表示する等、適宜変更できる。また、これらの設定画面において、仮想的に設けられたボタン類や表示欄に対するＯＮ／ＯＦＦ操作，数値や命令入力等の指定は、入力部３１５で行う。
【０１３９】
管理者は、店舗内ＰＣ６１等で、コイン払出率の設定スケジュール表を作成し、情報処理端末３１に転送し、表示部３１５に表示する。コイン払出率の設定作業時に情報処理端末３１とメインボード５１とが接続されると、設定画面７０の予定値表示欄７０８に、コイン払出率の設定スケジュール表の予定設定値が表示され、コイン払出率の設定作業が予定通り行われているか確認することができる。また、コイン払出率の設定作業終了後に、店舗内ＰＣ６１等に転送することで、管理者は、従業員等が、予定通りコイン払出率の設定作業を行ったかどうか一括管理することができる。
【０１４０】
先ず、コイン払出率の設定スケジュール表を表示させるために、図８に示すような、情報処理端末３１の表示部３１５のインターフェース上に表示されるメニュー画面９０から、スケジュールボタン８００を選択すると以下詳述するスケジュール画面８０が表示される。
【０１４１】
図１２は、スケジュール画面８０の一例を示しており、画面の上部に、機台番号表示欄７０１，暦表示欄７１２，前回値表示欄７０２，現在値表示欄７０３，予定値表示欄７０８、中央に、設定値一覧表７１３、下部に、戻るボタン７１４，保存ボタン７１５が設けられている。暦表示欄７１２には、日付が表示される。設定値一覧表７１３には、縦の欄に機台番号が表示され、横の欄には、日付が表示され、機台毎及び日付毎の予定設定値が各該当する枠に表示される。例えば、４月５日に機台番号２の遊技機のコイン払出率の設定作業をする場合、機台番号２の４月５日の枠に表示されている数値は、予定設定値であり、４月１日の枠に表示されている数値は、現在設定値であり、３月２９日の枠に表示されている数値は、前回設定値である。また、この時、各枠の数値を選択すると、該当する機台番号の情報が、機台番号表示欄７０１，暦表示欄７１２，前回値表示欄７０２，現在値表示欄７０３，予定値表示欄７０８に表示される。戻るボタン７１４では、メニュー画面９０に戻ることができる。保存ボタン７１５では、上述した数値等の情報を保存することができる。
（第二実施例）
（１）設定不正監視装置１０１の構成
【０１４２】
この設定不正監視装置１０１は、設定表示部ＤＩを一定の方向から撮像する撮像手段（例えば、図１７のステップＳＴ１の処理を実行する図１３のカメラ１２１）と、撮像手段によって撮像された画像データを受信し、活字として表示する機能を有する携帯可能な情報処理手段（例えば、図１３の携帯情報処理端末１３１）と、遊技機ＳＬにおいて新設定値を決定する操作（図１５（Ａ）〜（Ｄ）を参照。）がされた際に発信されるパルス信号を検出し、増幅して、トリガ信号として情報処理手段に送信するトリガ信号送信手段（例えば、図１７のステップＳＴ４の処理を実行する図１３のレバースイッチセンサ１４１）と、シリアル通信によって情報処理手段にトリガ信号を送信するメインボード１５１とを主要部として備えている。
【０１４３】
カメラ１２１は、インターネットを介して、リアルタイムの映像を配信可能な、例えば、ウェブカメラであって、携帯情報処理端末１３１に、ＵＳＢケーブルを介して直接接続することで、インターネットを経由しなくてもリアルタイムの映像を取り込めるようになっている。
【０１４４】
また、カメラ１２１は、各遊技機ＳＬの全てに設置しておくとよい。こうすることで、撮像する際に、カメラ１２１の位置調整をする必要が無く、作業効率が向上する。なお、カメラ１２１は、携帯情報処理端末１３１に内蔵されたカメラや、撮像した画像を画像信号として携帯情報処理端末１３１に出力できればよく、ウェブカメラに限定されない。
【０１４５】
携帯情報処理端末１３１は、入力装置，表示装置，メモリ，ＣＰＵ等を備え、無線ＬＡＮ（ローカルエリアネットワーク）通信や有線ＬＡＮ通信が可能であり、各種情報処理及び表示が可能な、例えば、タブレット端末（例えば、ｉＰａｄ（アップル  インコーポレイテッド社登録商標）等）やノート型パーソナルコンピュータ等の携帯可能な一般的な情報処理端末であればよい。
【０１４６】
また、携帯情報処理端末１３１は、図１６に示すように、複数台ある遊技機ＳＬの前回設定値と新設定値とを一括管理して履歴を一覧表示する。
【０１４７】
さらに、携帯情報処理端末１３１は、カメラ１２１によって、撮像された画像データを日付と関連づけて保存する。
【０１４８】
レバースイッチセンサ１４１は、電流センサであって、レバースイッチＬＳの制御回路からの配線に取り付けられる。設定時において、レバースイッチＬＳが押下されると、レバースイッチＬＳの制御回路からパルス信号が発生し、配線に微弱なパルス信号が流れる。このパルス信号電流を増幅し拡大して、トリガ信号としてメインボード１５１又は携帯情報処理端末１３１等に出力する。
【０１４９】
メインボード１５１は、情報処理や通信機能を備え、携帯情報処理端末１３１と双方向に通信可能であり、レバースイッチセンサ１４１からのパルス信号を受信すると、携帯情報処理端末１３１に対して、携帯情報処理端末１３１が読み取れる形式に変換したトリガ信号を送信する。
【０１５０】
また、メインボード１５１は、外部表示器１５２が接続されてもよく、この場合、メインボード１５１は、携帯情報処理端末１３１からの新設定値信号を受信すると、外部表示器１５２に新設定値信号を送信する。
【０１５１】
外部表示器１５２は、受信した新設定値信号から新設定値を表示する（図１５（Ｄ）を参照。）。なお、メインボード１５１が、携帯情報処理端末１３１から受信した現在設定値信号を外部表示器１５２に送信し、これを受信した外部表示器１５２が現在設定値を表示するようにしてもよい。
【０１５２】
メインボード１５１は、外部に警報器１５３を備えてもよく、この場合、メインボード１５１は、警報信号を受信すると、警報信号を警報器１５３へ送信し、これを受信した警報器１５３は、例えば警報音を発信する。なお、警報器１５３の警報方法は、光による点滅表示や振動装置による振動等、警報を周知できる方法であればよく、警報音に限定されない。
【０１５３】
設定不正監視装置１０１は、図１４に示すように、ＬＡＮやインターネットを介して、携帯情報処理端末１３１と双方向に通信可能に接続された、店舗内ＰＣ１６１（パーソナルコンピューター）や店舗外ＰＣ１６２を備えてもよい。店舗内ＰＣ１６１は、各遊技機ＳＬの前回設定値，現在設定値及び新設定値等の設定値情報や、警報情報に関する各種最新情報を共有できるように各携帯情報処理端末１３１と同期する。
【０１５４】
また、店舗外ＰＣ１６２は、各遊技機ＳＬの前回設定値，現在設定値及び新設定値等の設定値情報や、警報情報に関する各種最新情報を共有できるように各携帯情報処理端末１３１や店舗内ＰＣ１６１と同期する。
（２）設定不正監視装置１０１の動作
【０１５５】
続いて、設定不正監視装置１０１の動作について、図１５及び図１７を参照しながら機能毎に項分けして説明する。図１７は、各機器間の信号の流れを時系列にまとめたシーケンス図である。
（２−１）携帯情報処理端末１３１による不正の判別
【０１５６】
設定不正監視装置１０１が以下のように動作することで、遊技機ＳＬのコインの払出率が不正に変更されているかを容易に判別できる。
【０１５７】
ステップＳＴ１では、カメラ１２１が、不正判別対象である遊技機ＳＬの設定表示部ＤＩに表示された数値を撮像し（図１５（Ａ）を参照。）、画像データを携帯情報処理端末１３１に送信する。
【０１５８】
ステップＳＴ２では、携帯情報処理端末１３１が、例えばＵＳＢケーブルを介して、ステップＳＴ１によって送信された画像データを受信する。
【０１５９】
ステップＳＴ３では、携帯情報処理端末１３１が、受信した画像データを、例えばＯＣＲ（オプティカルキャラクターレコグニション）機能を有するソフトウェアによって、光学文字認識をして文字データに変換し、図１８に示すように、現在値表示欄に活字として表示し、前回の不正判別作業において新設定値として記憶された設定値を前回設定値として前回値表示欄に表示する（図１５（Ａ）を参照。）。なお、カメラ１２１で撮像した画像データを現在値表示欄に表示してもよい。
（２−２）携帯情報処理端末１３１による不正の判別，新設定値の表示及び記憶
【０１６０】
設定不正監視装置１０１が以下のように動作することで、遊技機ＳＬのコインの払出率が不正に変更されているかを容易に判別できるとともに、予定通り設定されているかを確認できる（図１５（Ｂ）を参照）。
【０１６１】
ステップＳＴ４では、レバースイッチＬＳが押下されると、レバースイッチＬＳの制御回路からパルス信号が発生し、配線に微弱なパルス信号が流れ、レバースイッチセンサ１４１が、パルス信号を検出し、増幅して、トリガ信号として携帯情報処理端末１３１に、直接的に、例えば赤外線通信によって送信する。なお、有線によって送信してもよい。
【０１６２】
ステップＳＴ４では、間接的に、レバースイッチセンサ１４１からのトリガ信号を携帯情報処理端末１３１に送信することもできる。この場合、ステップＳＴ４では、レバースイッチセンサ１４１が、パルス信号を検出し、増幅して、メインボード１５１に、例えば有線で送信し、メインボード１５１からトリガ信号を携帯情報処理端末１３１に、例えばシリアル通信によって送信する。
【０１６３】
ステップＳＴ５では、携帯情報処理端末１３１が、レバースイッチセンサ１４１（メインボード１５１でもよい。）からトリガ信号を受信する。
【０１６４】
ステップＳＴ６では、携帯情報処理端末１３１が、レバースイッチセンサ１４１（メインボード１５１でもよい。）から送信されたトリガ信号を受信すると、図１８に示すように、現在設定値を確定された設定値である新設定値として新設定値表示欄に表示する（図１５（Ｃ）を参照。）とともに、次回に前回設定値として表示するものとして各遊技機ＳＬと関連づけて記憶する（図１５（Ｄ）を参照）。
（２−３）警報と新設定値の外部表示
【０１６５】
設定不正監視装置１０１が以下のように動作することで、コインの払出率が不正に変更された際に警報することができる。
【０１６６】
ステップＳＴ７では、携帯情報処理端末１３１が、新設定値信号及び警報信号をシリアル通信によってメインボード１５１に送信する。
【０１６７】
ステップＳＴ８では、メインボード１５１が新設定値信号及び警報信号を受信し、新設定値信号を外部表示器１５２に、警報信号を警報器１５３に送信する。
【０１６８】
外部表示器１５２は、新設定値信号を受信すると、例えば７セグメント表示器に新設定値を表示する（図１５（Ｄ）を参照）。
【０１６９】
警報器１５３は、警報信号を受信すると、例えば警報音を発生する。
（２−４）複数台の端末による各種設定値等の一元管理
【０１７０】
設定不正監視装置１０１が以下のように動作することで、複数台の端末で各種設定値情報や警報情報を一元管理することができる。
【０１７１】
ステップＳＴ９では、複数台ある携帯情報処理端末１３１，店舗内ＰＣ１６１及び店舗外ＰＣ１６２は、各々がインターネットを介して双方向に通信可能に接続し、各遊技機ＳＬの前回設定値，現在設定値及び新設定値等の設定値情報や、警報情報に関する各種最新情報を同期して共有する。
（３）変形例
【０１７２】
前述の実施形態では、前回設定値と、現在設定値又は新設定値とを比較して、相違があった場合に、警報表示がされたり、警報音が発生することによって、遊技者による不正な設定変更を検出するようにしているが、以下のように、管理者が設定変更作業を行う従業員の不正な設定変更を監視することができる。
【０１７３】
例えば、携帯情報処理端末１３１は、新設定値表示欄のところに管理者が予定している予定設定値を表示しておき、トリガ信号を受信したとき、この予定設定値と、新設定値とが異なる場合に、例えば、黒色であった予定設定値の表示が赤色に変わる等の警報情報を表示させ、メインボード１５１を介して、警報器から警報音を発生させる。
【０１７４】
このようにすることで、管理者が予定していた設定値と異なる値を従業員が設定すると、警報情報を表示されたり、警報音が鳴ったりするので、管理者は従業員の不正な設定変更を監視することができる。
（４）設定不正監視装置１０１の使用方法
【０１７５】
使用に際して、先ず、管理者は、携帯情報処理端末１３１を起動して、図１８に示すような待機画面を表示させるとともに、携帯情報処理端末１３１にカメラ１２１を接続し、不正判別対象である遊技機ＳＬの設定表示部ＤＩに表示された数値を撮像する。
【０１７６】
次に、管理者は、携帯情報処理端末１３１の画面に前回設定値と現在設定値が表示されるので設定に不正があったかどうかを判別する。また、管理者は、レバースイッチＬＳを押下して設定値を確定すると、携帯情報処理端末１３１の画面に新設定値が表示されるので、設定が正しく行われたかどうかを確認する。
【０１７７】
ここで、管理者は、設定に不正があった場合、警報器１５３から警報音が発せられるので、携帯情報処理端末１３１による視覚からだけでなく、聴覚によっても設定に不正があったことを感知できる。
【０１７８】
最後に、管理者は、店舗内ＰＣ１６１や店舗外ＰＣ１６２の画面で各種設定値情報や警報情報を一覧表示して、各店舗内や店舗毎の設定の不正状況を一元管理する。
【０１７９】
以上の通り、本発明によれば、遊技機自体は大がかりな改変をせずに、簡便に、且つ、低廉に、遊技機の払出率の設定値を不正に変更する不正行為を監視及び検出することができる遊技機の設定不正監視装置を提供することができる。
【０１８０】
なお、本発明は前述した実施の形態のみに限定されるものではなく、本発明の要旨を逸脱しない範囲において種々の変更が可能であることは勿論である。
【符号の説明】
【０１８１】
１…遊技機の設定不正監視装置、２…設定ボタン押下センサ、３，４…接続ケーブル、２１…カメラ、３１…情報処理端末、３１Ａ…第二記憶制御部、３１Ｂ…第一判別部、３１Ｃ…第二判別部、３１Ｄ…第三判別部、３１Ｅ…通信制御部、３１Ｆ…モード切替部、３１Ｇ…数値変換部、３１Ｈ…認識解析部、３１Ｉ…表示制御部、３１Ｊ…警報制御部、３１１…ＣＰＵ、３１２…ＲＯＭ、３１３…ＲＡＭ、３１４…第二記憶部、３１５…表示部、３１６…入力部、３１７…通信インターフェース、３１８…バス、４１…レバースイッチセンサ、５１…メインボード、５１Ａ…第一記憶制御部、５１Ｂ…設定ボタン押下センサ信号受信部、５１Ｃ…レバースイッチセンサ信号受信部、５１Ｄ…通信制御部、５１Ｅ…外部表示制御部、５１Ｆ…警報制御部、５１１…ＣＰＵ、５１２…ＲＯＭ、５１３…ＲＡＭ、５１４…第一記憶部、５１５…通信ポート、５１６…トリガ信号受信ポート、５１７…外部表示ポート、５１８…警報ポート、５１９…バス、５２…外部表示器、５３…警報器、６１…店舗内ＰＣ、６２…店舗外ＰＣ、７０…設定画面、７００…メッセージ表示欄、７０１…機台番号表示欄、７０２…前回値表示欄、７０３…現在値表示欄、７０４…モード切替ボタン、７０５…カメラ画像表示欄、７０６…確認ボタン、７０７…終了ボタン、７０８…予定値表示欄、７０９…推定値表示欄、７１０…認識値表示欄、７１１…機台移行ボタン、７１２…暦表示欄、７１３…設定値一覧表、７１４…戻るボタン、７１５…保存ボタン、８０…スケジュール画面、８００…スケジュールボタン、９０…メニュー画面、１０１…遊技機の設定不正監視装置、１２１…カメラ、１３１…情報処理端末、１４１…レバースイッチセンサ、１５１…メインボード、１５２…外部表示器、１５３…警報器、１６１…店舗内ＰＣ、１６２…店舗外ＰＣ、ＤＩ…設定表示部、ＬＳ…レバースイッチ、ＳＢ…設定ボタン、ＳＬ…遊技機、ＳＳ…設定スイッチ、１００１…不正行為報知装置、１００２…スロットゲーム機、１００３ａ，１００３ｂ…引込み線、１００４…クランプ式変流器、１００５…制御器、１００６…フラッシュランプ
【図１】
2015226765.tif 000003
【図２】
2015226765.tif 000004
【図３】
2015226765.tif 000005
【図４】
2015226765.tif 000006
【図１３】
2015226765.tif 000007
【図１４】
2015226765.tif 000008
【図１５】
2015226765.tif 000009
【図１６】
2015226765.tif 000010
【図１７】
2015226765.tif 000011
【図１８】
2015226765.tif 000012
【図１９】
2015226765.tif 000013
【図５】
2015226765.tif 000014
【図６】
2015226765.tif 000015
【図７】
2015226765.tif 000016
【図８】
2015226765.tif 000017
【図９】
2015226765.tif 000018
【図１０】
2015226765.tif 000019
【図１１】
2015226765.tif 000020
【図１２】
2015226765.tif 000021